(57)【要約】      （修正有）【課題】水平方向へのスライド量を簡易に変更できる免震装置。【解決手段】その軸芯を中心にして下面に円形状の突起が突設されるとともに円形状の凹部が上に開口して設けられ、前記軸芯周りに上下に貫通する貫通孔が設けられたベースプレート２と、前記ベースプレートの凹部内に収納されて、前記軸芯周りに回動自在で、上下に貫通する長孔が設けられたスライドプレート３と、前記長孔に沿って略水平方向に移動自在で上方へ抜け出ないように支持されると共に該長孔を通って前記ベースプレートの上端面位置から突出する係止突起４と、前記スライドプレートを閉蓋するとともに、前記係止突起を上方に貫通させるように前記長孔よりも大きな貫通孔が設けられたスライドワッシャー５と、からなるアイソレータユニット８を形成し、前記係止突起４に上段のベースプレート２の貫通孔に挿通させることで前記アイソレータユニット８を所望の複数段に積層する。【選択図】図２
2006242249.tif 000002
【特許請求の範囲】
【請求項１】
平板状で所望厚さの平板体であってその軸芯を中心にして下面に円形状の突起が突設されるとともに円形状の凹部が上に開口して設けられ、前記軸芯周りに上下に貫通する貫通孔が設けられて成り使用時に略水平に載置されるベースプレートと、
前記ベースプレートの凹部内に収納される円板体であって前記軸芯周りに回動自在で当該円板体の直径方向に所望長さで上下に貫通する所要幅の長孔が設けられて成るスライドプレートと、
前記長孔に沿って略水平方向に移動自在で上方へ抜け出ないように支持されると共に該長孔を通って前記ベースプレートの上端面位置から突出する係止突起と、
前記ベースプレートの上面に固定される平板体で前記ベースプレートの凹部に収納された前記スライドプレートが上方に抜けでないように閉蓋するとともに、前記係止突起を上方に貫通させるように前記長孔よりも大きな直径の円形状の貫通孔が設けられて成るスライドワッシャーと、からなるアイソレータユニットを形成し、
前記係止突起に上段のアイソレータユニットにおけるベースプレートの貫通孔に挿通させることで前記アイソレータユニットを所望の複数段に積層して構成されること、
を特徴とする制振アイソレータ。
【請求項２】
係止突起は、スライドプレートの長孔に摺動自在に嵌合し該長孔の下側周縁部に設けられた段部に係合するフランジを有してなるブッシュの中央部に設けられている貫通孔にボルト本体が挿通され頭部が当該ブッシュの下向きに開口された凹部に収納されるボルトであること、
を特徴とする請求項１に記載の制振アイソレータ。
【請求項３】
スライドワッシャーは、外周部と長孔よりも大きな直径の円形状の貫通孔との間に、潤滑用孔が設けられ、該潤滑用孔に個体潤滑材が埋設され、当該ワッシャー上面にテフロン（登録商標）コーティング又はテフロン（登録商標）シートが設けられること、
を特徴とする請求項１に記載の制振アイソレータ。
【発明の詳細な説明】
【技術分野】
【０００１】
本発明は、例えば、戸建住宅等の軽量建築物に好適な免震用の制振アイソレータに関するものである。
【背景技術】
【０００２】
従来、ビルディング等の比較的に、大型構造物の地震等の揺れを防止する方法として、地震エネルギーの遮断を目的とした免震装置が開発されてきたが、近年、多くの地震被害の発生を鑑みて、一戸建て住宅等の軽量構造物用の免震装置の必要性が高まっている。例えば、従来例１として、金属プレートの板体中央部に弾性体を付設し、該板体の周縁部に摺動摩擦体を付設して、この金属プレートを上下方向に複数枚積載し、その金属プレートの中央部に中心軸を挿嵌させ相互に重合連結させたもの（特許文献１参照）が知られている。または、従来例２として、凹部を設けた板状の圧縮兼滑り部材を形成し、前記凹部内に板状のストッパーを間隙を有して挟持した状態で複数枚積み重ね支承内部を形成し、可撓性を有する筒体部とその上下端部に鍔状にプレートを突設して支承外部を形成し、該支承外部の筒体内部に前記支承内部を挿入し、前記筒体部の上下端部を接合プレートで閉塞して成るものが知られている（特許文献２参照）。
【特許文献１】特開２０００−２９１７３８号公報
【特許文献２】特開２０００−１７０４１０号公報
【発明の開示】
【発明が解決しようとする課題】
【０００３】
しかし、従来の免震装置では、水平方向の移動が少なく、一度地震があると塑性変形した部材を交換する必要等があり手間が掛かると言う課題がある。また、支承内部と支承外部との部品点数が多く、支承内部の積層数を変えることが、筒体部である支承外部の上下方向の高さ変更が容易でないことから困難である。
本発明に係る制振アイソレータは、このような課題を解決するために提案されたものである。
【課題を解決するための手段】
【０００４】
本発明に係る制振アイソレータの上記課題を解決して目的を達成するための要旨は、
平板状で所望厚さの平板体であってその軸芯を中心にして下面に円形状の突起が突設されるとともに円形状の凹部が上に開口して設けられ、前記軸芯周りに上下に貫通する貫通孔が設けられて成り使用時に略水平に載置されるベースプレートと、前記ベースプレートの凹部内に収納される円板体であって前記軸芯周りに回動自在で当該円板体の直径方向に所望長さで上下に貫通する所要幅の長孔が設けられて成るスライドプレートと、前記長孔に沿って略水平方向に移動自在で上方へ抜け出ないように支持されると共に該長孔を通って前記ベースプレートの上端面位置から突出する係止突起と、前記ベースプレートの上面に固定される平板体で前記ベースプレートの凹部に収納された前記スライドプレートが上方に抜けでないように閉蓋するとともに、前記係止突起を上方に貫通させるように前記長孔よりも大きな直径の円形状の貫通孔が設けられて成るスライドワッシャーと、からなるアイソレータユニットを形成し、前記係止突起に上段のアイソレータユニットにおけるベースプレートの貫通孔に挿通させることで前記アイソレータユニットを所望の複数段に積層して構成されていることである、
【０００５】
前記係止突起は、スライドプレートの長孔に摺動自在に嵌合し該長孔の下側周縁部に設けられた段部に係合するフランジを有してなるブッシュの中央部に設けられている貫通孔にボルト本体が挿通され頭部が当該ブッシュの下向きに開口された凹部に収納されるボルトであること、；
前記スライドワッシャーは、外周部と長孔よりも大きな直径の円形状の貫通孔との間に、潤滑用孔が設けられ、該潤滑用孔に個体潤滑材が埋設され、当該ワッシャー上面にテフロン（登録商標）コーティング又はテフロン（登録商標）シートが設けられること、
を含むものである。
【発明の効果】
【０００６】
本発明の制振アイソレータによれば、ベースプレートの凹部に収納されたスライドプレートが軸芯周りに回動自在で、係止突起が長孔に対して摺動自在なので、該係止突起は、長孔を水平面内軸芯周りに回動させた範囲内で自由に移動することができる。よって、この係止突起に上段のベースプレートが挿通されているので、下段のアイソレータユニットに対して上段のアイソレータユニットが水平方向に移動することができる。この移動量は、一方向において前記長孔の１／２であり、アイソレータユニットを複数段に積層することで、その段数分を乗算した分だけ最下段のアイソレータユニットに対して最上段のアイソレータユニットが移動できる。
こうして、地震時において、一戸建て住宅が地盤に対して水平に移動することができて、アイソレータにより免震作用が発揮されるものである。
【０００７】
このアイソレータの水平方向の摺動面を形成するスライドワッシャーは、その上面に個体潤滑材とテフロン（登録商標）（ＰＴＦＥ）コーティング若しくはテフロン（登録商標）シートが設けられて、滑らかに仕上げられて摩擦係数が低くされているので、水平方向の移動がスムーズに行われる。また、微振動時においては、このスライドワッシャーと上段のベースプレートの下面との摩擦により、振動エネルギーが減衰されるものである。
【発明を実施するための最良の形態】
【０００８】
本発明に係る制振アイソレータ１は、図１（Ｃ）乃至図２に示すように、平板状で所望厚さの平板体であってその軸芯を中心にして下面に円形状の突起２ａが突設されるとともに円形状の凹部２ｂが上に開口して設けられ、前記軸芯周りに上下に貫通する貫通孔２ｃが設けられて成り使用時に略水平に載置される金属製のベースプレート２がある。
【０００９】
前記ベースプレート２の上部周縁部には、上に凸の段部２ｄが設けられている。これは、後述のスライドワッシャー５の水平方向への脱落防止のためにある。また、４箇所のネジ孔２ｅは、このスライドワッシャー５を皿ネジ６でネジ止めするために、設けられている。
【００１０】
次に、図２乃至図３に示すように、前記ベースプレート２の凹部２ｂ内に収納される円板体３ａであって前記軸芯ａ（図２参照）周りに回動自在で当該円板体３ａの直径方向に所望長さで上下に貫通する所要幅の長孔３ｂが設けられて成る、金属製のスライドプレート３がある。この長孔３ｂの下側周縁部に、段部３ｃが設けられている。この段部３ｃは、後述のブッシュ７におけるフランジの係止部になり、抜け出しを防止するものである。
【００１１】
次に、図２に示すように、前記長孔３ｂに沿って略水平方向に移動自在で上方へ抜け出ないように支持されると共に該長孔３ｂを貫通して前記ベースプレート２の上端面位置から突出する係止突起４がある。これは、具体的には、所望太さと長さとの六角ボルトである。
【００１２】
前記係止突起の六角ボルト４は、図４乃至図６に示すブッシュ７の中央部に設けられた貫通孔７ａに下から上へと貫通される。このブッシュ７は、前記スライドプレート３の長孔３ｂに摺動自在に嵌合するように、ブッシュ本体部分が前記長孔３ｂの幅と同じ幅にされ、該長孔３ｂの下側周縁部に設けられた段部３ｃに係合するように、フランジ７ｂが設けられている。また、前記六角ボルト７の頭部が当該ブッシュ７の下向きに開口された凹部７ｃに収納されるようになっている。
【００１３】
次に、図２及び図７に示すように、前記ベースプレート２の上面に固定される平板体５ａで、前記ベースプレート２の凹部２ｂに収納された前記スライドプレート３が上方に抜けでないように閉蓋するとともに、前記係止突起４を上方に貫通させるように前記長孔３ｂよりも大きな直径の円形状の貫通孔５ｂが設けられて成る、金属製のスライドワッシャー５がある。
【００１４】
前記スライドワッシャー５には、図７に示すように、その外周縁部にフランジ５ｃが設けられ、前記ベースプレート２の段部２ｄの上に載置され、係合する。これにより、平板体５ａの側壁面が段部２ｄに当接して、水平方向の抜け出しが防止される。更に、図２に示すように、前記ベースプレート２に皿ネジ６でスライドワッシャー５を固定するための、ネジ貫通孔５ｄが４箇所に設けられ、環状の平板体５ａには、複数個の潤滑用孔が設けられそこに固体潤滑材５ｅが埋設されている。
【００１５】
前記スライドワッシャー５の表面には、テフロン（登録商標）コーティング若しくは図７（Ｄ）に示すように、テフロン（登録商標）シート（厚さ、約０．５ｍｍ）５ｆが設けられる。これにより、水平方向のスライドがよりスムーズになるものである。
【００１６】
こうして、前記ベースプレート２、スライドプレート３、係止突起４、スライドワッシャー５からなるアイソレータユニット８が形成される。なお、最下段のアイソレータユニット８ａにおいては、図２に示すように、前記ベースプレート２において基礎への取付部が必要なので、ボルトを挿通させる取付部２２ａが設けられ、その一方で、図１（Ｄ）に示す下部の突起２ａ及び中央部の貫通孔２ｃが不要となるので、これらが省かれて形成されているベースプレート２２となっている。
【００１７】
上記アイソレータユニット８を、前記係止突起４に上段のアイソレータユニットにおけるベースプレート２の貫通孔２ｃに挿通させることで、前記アイソレータユニット８を所望の複数段、図２で示す実施例では３段、に積層することで制振アイソレータ１となる。なお、最上段では、図２及び図４に示すように、上部連結プレート９が設けられる。
【００１８】
前記上部連結プレート９は、図８に示すように、前記ベースプレート２と同じ大きさで、その中央部に係止突起４を挿通させる貫通孔９ａが設けられ、前記ベースプレート２の突起２ａと同じ大きさの突起９ｂが設けられ、構造物の躯体下部に固定するためのネジ孔９ｃが設けられている。この上部連結プレート９は、係止突起４ａが前記貫通孔９ａに貫通され突出したネジ部にナット１０が締結されて、制振アイソレータ１側に固定される。
【００１９】
この制振アイソレータ１を、軽量構造物である住宅の基礎と建物の間に、免震装置としてのスライド量を設定し、積層段数を決めて設置する。そして、地震等があった場合に、図１（Ａ），（Ｂ）に示すように、アイソレータユニット８が任意の方向に、スライドプレート３の長孔３ｂに沿って水平にスライドする。このスライド量は、最大で前記長孔３ｂの半分の長さであり、例えば、アイソレータユニット８を３段に積層した場合には、最大でその３倍となる。
【００２０】
また、地震の方向が複雑に変化した場合でも、アイソレータユニット８は、軸芯ａの周りに自由に回転するスライドプレート３により長孔３ｂがスライドする方向を全方向に変えられるので、下段のアイソレータユニット８に対してどの方向にもスライドすることができる。また、アイソレータユニット８の上面のスライドワッシャー５による摩擦で、振動エネルギーが吸収されるので、自動車等による交通振動等の微振動が制振される。
【図面の簡単な説明】
【００２１】
【図１】本発明に係る制振アイソレータ１の斜視図（Ａ），スライドした状態の斜視図（Ｂ），ベースプレート２の上側から見た斜視図（Ｃ），同下側から見た斜視図（Ｄ）である。
【図２】同本発明の制振アイソレータ１の分解斜視図である。
【図３】制振アイソレータ１におけるスライドプレート３の上から見た斜視図（Ａ）、同じく下から見た斜視図（Ｂ）、縦断面図（Ｃ）である。
【図４】制振アイソレータ１の縦断面図である。
【図５】制振アイソレータ１のスライド状態での縦断面図である。
【図６】ブッシュ７の下から見た斜視図（Ａ）、上から見た斜視図（Ｂ）、縦断面図（Ｃ）である。
【図７】スライドワッシャー５の上から見た場合の斜視図（Ａ）、下から見た場合の斜視図（Ｂ）、縦断面図（Ｃ）、一部拡大断面図（Ｄ）である。
【図８】上部連結プレート９の下から見た斜視図（Ａ）、上から見た斜視図（Ｂ）、平面図（Ｃ）、縦断面図（Ｄ）である。
【図９】制振アイソレータ１の平面図である。
【符号の説明】
【００２２】
１            制振アイソレータ、
２            ベースプレート、        ２ａ          突起、
２ｂ          凹部、                  ２ｃ          貫通孔、
２ｄ          段部、                  ２ｅ          ネジ孔、
３            スライドプレート、      ３ａ          円板体、
３ｂ          長孔、                  ３ｃ          段部、
４            係止突起  、            
５            スライドワッシャー、    ５ａ          平板体、
５ｂ          貫通孔、                ５ｃ          フランジ、
５ｄ          ネジ貫通孔、            ５ｅ          固体潤滑材、
５ｆ          テフロン（登録商標）シート、
６            皿ネジ、
７            ブッシュ、              ７ａ          貫通孔、
７ｂ          フランジ、              ７ｃ          凹部、
８，８ａ      アイソレータユニット、
９            上部連結プレート、      ９ａ          貫通孔、
９ｂ          突起、                  ９ｃ          ネジ孔、
１０          ナット、        
２２          ベースプレート、        ２２ａ        取付部。
【図１】
2006242249.tif 000003
【図２】
2006242249.tif 000004
【図３】
2006242249.tif 000005
【図４】
2006242249.tif 000006
【図５】
2006242249.tif 000007
【図６】
2006242249.tif 000008
【図７】
2006242249.tif 000009
【図８】
2006242249.tif 000010
【図９】
2006242249.tif 000011